(57)【要約】【課題】本発明はパソコンオフィスバッグを開示した。【解決手段】本体を含み、前記本体の中には外部に連通する開口溝が設置され、前記開口溝の上端壁には外部空間に連通する翻転溝が設置され、前記翻転溝の上端壁には長いスライド溝が設置され、前記開口溝の中には格納ボードがスライドできるように連結され、前記格納ボードの上端面には折畳みボードが固定的に設置され、前記折畳みボードと前記翻転溝とがスライドできるように連結され、前記折畳みボードの中にはヒンジ軸が左右に対称的に回転できるように連結され、前記ヒンジ軸の左右両端にはヒンジ片が対称的に回転できるように連結され、前記ヒンジ片と前記折畳みボードとが固定的に連結される。【選択図】図１
2020179097.tif 000002
【特許請求の範囲】
【請求項１】
正面視で、本体を含み、前記本体の中には外部に連通する開口溝が設置され、前記開口溝の上端壁には外部空間に連通する翻転溝が設置され、前記翻転溝の上端壁には長いスライド溝が設置され、前記開口溝の中には格納ボードがスライドできるように連結され、前記格納ボードの上端面には折畳みボードが固定的に設置され、前記折畳みボードと前記翻転溝とがスライドできるように連結され、前記折畳みボードの中にはヒンジ軸が左右に対称的に回転できるように連結され、前記ヒンジ軸の左右両端にはヒンジ片が対称的に回転できるように連結され、前記ヒンジ片と前記折畳みボードとが固定的に連結され、二つの前記ヒンジ軸が前記折畳みボードを三つの部分に分け、前記折畳みボードの上端面には前記長いスライド溝とがスライドできるように連結された小スライダが固定的に設置され、前記格納ボードの左端には左に開口した延長ボードスライド溝が設置され、前記延長ボードスライド溝の中にはマウスを格納する延長ボードがスライドできるように連結され、前記延長ボードスライド溝の上端壁には位置制限溝が設置され、前記位置制限溝の中には前記延長ボードと固定的に連結される位置制限ブロックがスライドできるように連結され、前記位置制限ブロックと前記位置制限溝との間には位置制限撥条が連結され、前記延長ボードの下端面には下に開口した凹溝が設置され、前記開口溝の下端壁には係止ブロックスライド溝が設置され、前記係止ブロックスライド溝の前後端壁にはノブ軸が回転できるように連結され、前記ノブ軸には小歯車が固定的に設置され、前記係止スライド溝の中には前記小歯車と噛み合ったラック係止ブロックがスライドできるように連結され、前記ラック係止ブロックは前記凹溝とスライドできるように連結されることができ、前記ノブ軸が前に伸びて前記係止ブロックスライド溝を貫通して外部空間に入って前記本体の前端面と回転できるように連結され、前記ノブ軸の前端面にはノブが固定的に設置され、前記開口溝の下端壁には歯車溝が設置され、前記歯車溝の前後端壁には貫通軸が回転できるように連結され、前記貫通軸には大歯車が固定的に設置され、前記格納ボードの下端面には前記大歯車と噛み合ったラックが固定的に設置され、前記開口溝の後端にはパソコンを格納する保存溝が設置され、前記保存溝の上端壁にはパソコンを格納するファスナーが設置され、前記保存溝の後端には支持溝が設置され、前記支持溝の中には支持装置が設置され、前記貫通軸の回転は前記支持装置の回転と移動を制御でき、前記本体の上端面には手で引っ提げる手提げ装置が設置されていることを特徴とするパソコンオフィスバッグ。
【請求項２】
前記支持装置は前記支持溝の下端に位置する伝動チャンバを含み、前記貫通軸は後へ伸びて前記伝動チャンバの中に入っており、且つ前記伝動チャンバの前後端壁が回転できるように連結され、前記貫通軸において前記伝動チャンバの中にはウォームが固定的に設置され、前記伝動チャンバの左端壁には横軸が回転できるように連結され、前記横軸の左端の外周には前記ウォームと噛み合ったウォームギアが固定的に設置され、前記横軸の右端には第一傘歯車が固定的に設置され、前記伝動チャンバの上端壁にはリードスクリュー軸が回転できるように設置され、前記リードスクリュー軸の下端には前記第一傘歯車と噛み合った第二傘歯車が固定的に設置され、前記リードスクリュー軸が上へ伸びて前記伝動チャンバの上端壁を貫通して前記支持溝の中に入っており且つ前記支持溝の下端壁と回転できるように連結され、前記支持溝の上端面には前記リードスクリュー軸と回転できるように連結された固定ボードが固定的に設置され、前記リードスクリュー軸において前記支持溝の中にはネジ山ブロックがネジ山によって連結され、前記支持溝の中の左右両端にはテーブル脚がスライドできるように連結され、前記テーブル脚のうち前記リードスクリュー軸に近接している端面には円溝が設置され、前記円溝の中にはプレインベアがスライドできるように連結され、前記プレインベアのうち前記リードスクリュー軸に近接している端面には自在継ぎ手ブロックが固定的に設置され、前記自在継ぎ手ブロックと前記ネジ山ブロックとの間には細い棒がヒンジで連結され、前記テーブル脚の前端面には切替溝が設置され、前記支持溝の上端壁には左右に対称的に駆動チャンバが設置され、前記駆動チャンバの中には従動棒がヒンジで連結され、前記従動棒のもう一端は対応の前記切替溝の上端壁と回転できるように連結され、前記貫通軸が回転する時、前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって前記テーブル脚を前記リードスクリュー軸から離れるように下へ運動させ、それにより前記本体を支持することを特徴とする請求項１に記載のパソコンオフィスバッグ。
【請求項３】
前記手提げ装置が前後に対称的に設置され、前端の装置を例にして説明し、前記手提げ装置は台座を含み、前記台座が左右に対称的に二組設置され、組ごとに左右に対称的な二つが設置され、前記台座の組の間には短い軸が回転できるように連結され、前記短い軸には手で掴めるハンドルが固定的に連結され、手を前記ハンドルに通せば前記本体を提げられることを特徴とする請求項１に記載のパソコンオフィスバッグ。
【発明の詳細な説明】
【技術分野】
【０００１】
本発明は事務用品分野を取り上げて、具体的にはパソコンオフィスバッグである。
【背景技術】
【０００２】
現在、会社員が出張する時、パソコンオフィスバッグを持ってパソコンを保存し、外出する時いつも緊急事務があり、しかしこんな緊急事態では事務机がないため、事務効率が極めて低く、それにミスが出やすい。
【先行技術文献】
【特許文献】
【０００３】
【特許文献１】中国特許出願公開第１０３１６９２２８号明細書
【発明の概要】
【発明が解決しようとする課題】
【０００４】
本発明の目的はパソコンオフィスバッグを提供し、上記背景技術に提出される問題を解決する。
【課題を解決するための手段】
【０００５】
本発明のパソコンオフィスバッグは、本体を含み、前記本体の中には外部に連通する開口溝が設置され、前記開口溝の上端壁には外部空間に連通する翻転溝が設置され、前記翻転溝の上端壁には長いスライド溝が設置され、前記開口溝の中には格納ボードがスライドできるように連結され、前記格納ボードの上端面には折畳みボードが固定的に設置され、前記折畳みボードと前記翻転溝とがスライドできるように連結され、前記折畳みボードの中にはヒンジ軸が左右に対称的に回転できるように連結され、前記ヒンジ軸の左右両端にはヒンジ片が対称的に回転できるように連結され、前記ヒンジ片と前記折畳みボードとが固定的に連結され、二つの前記ヒンジ軸が前記折畳みボードを三つの部分に分け、前記折畳みボードの上端面には前記長いスライド溝とがスライドできるように連結された小スライダが固定的に設置され、前記格納ボードの左端には左に開口した延長ボードスライド溝が設置され、前記延長ボードスライド溝の中にはマウスを格納する延長ボードがスライドできるように連結され、前記延長ボードスライド溝の上端壁には位置制限溝が設置され、前記位置制限溝の中には前記延長ボードと固定的に連結される位置制限ブロックがスライドできるように連結され、前記位置制限ブロックと前記位置制限溝との間には位置制限撥条が連結され、前記延長ボードの下端面には下に開口した凹溝が設置され、前記開口溝の下端壁には係止ブロックスライド溝が設置され、前記係止ブロックスライド溝の前後端壁にはノブ軸が回転できるように連結され、前記ノブ軸には小歯車が固定的に設置され、前記係止スライド溝の中には前記小歯車と噛み合ったラック係止ブロックがスライドできるように連結され、前記ラック係止ブロックは前記凹溝とスライドできるように連結されることができ、前記ノブ軸が前に伸びて前記係止ブロックスライド溝を貫通して外部空間に入って前記本体の前端面と回転できるように連結され、前記ノブ軸の前端面にはノブが固定的に設置され、前記開口溝の下端壁には歯車溝が設置され、前記歯車溝の前後端壁には貫通軸が回転できるように連結され、前記貫通軸には大歯車が固定的に設置され、前記格納ボードの下端面には前記大歯車と噛み合ったラックが固定的に設置され、前記開口溝の後端にはパソコンを格納する保存溝が設置され、前記保存溝の上端壁にはパソコンを格納するファスナーが設置され、前記保存溝の後端には支持溝が設置され、前記支持溝の中には支持装置が設置され、前記貫通軸の回転は前記支持装置の回転と移動を制御でき、前記本体の上端面には手で引っ提げる手提げ装置が設置されている。
【０００６】
更なる技術方案、前記支持装置は前記支持溝の下端に位置する伝動チャンバを含み、前記貫通軸は後へ伸びて前記伝動チャンバの中に入っており、且つ前記伝動チャンバの前後端壁が回転できるように連結され、前記貫通軸において前記伝動チャンバの中にはウォームが固定的に設置され、前記伝動チャンバの左端壁には横軸が回転できるように連結され、前記横軸の左端の外周には前記ウォームと噛み合ったウォームギアが固定的に設置され、前記横軸の右端には第一傘歯車が固定的に設置され、前記伝動チャンバの上端壁にはリードスクリュー軸が回転できるように設置され、前記リードスクリュー軸の下端には前記第一傘歯車と噛み合った第二傘歯車が固定的に設置され、前記リードスクリュー軸が上へ伸びて前記伝動チャンバの上端壁を貫通して前記支持溝の中に入っており且つ前記支持溝の下端壁と回転できるように連結され、前記支持溝の上端面には前記リードスクリュー軸と回転できるように連結された固定ボードが固定的に設置され、前記リードスクリュー軸において前記支持溝の中にはネジ山ブロックがネジ山によって連結され、前記支持溝の中の左右両端にはテーブル脚がスライドできるように連結され、前記テーブル脚のうち前記リードスクリュー軸に近接している端面には円溝が設置され、前記円溝の中にはプレインベアがスライドできるように連結され、前記プレインベアのうち前記リードスクリュー軸に近接している端面には自在継ぎ手ブロックが固定的に設置され、前記自在継ぎ手ブロックと前記ネジ山ブロックとの間には細い棒がヒンジで連結され、前記テーブル脚の前端面には切替溝が設置され、前記支持溝の上端壁には左右に対称的に駆動チャンバが設置され、前記駆動チャンバの中には従動棒がヒンジで連結され、前記従動棒のもう一端は対応の前記切替溝の上端壁と回転できるように連結され、前記貫通軸が回転する時、前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって前記テーブル脚を前記リードスクリュー軸から離れるように下へ運動させ、それにより前記本体を支持する。
【０００７】
更なる技術方案、前記手提げ装置が前後に対称的に設置され、前端の装置を例にして説明し、前記手提げ装置は台座を含み、前記台座が左右に対称的に二組設置され、組ごとに左右に対称的な二つが設置され、前記台座の組の間には短い軸が回転できるように連結され、前記短い軸には手で掴めるハンドルが固定的に連結され、手を前記ハンドルに通せば前記本体を提げられる。
【発明の効果】
【０００８】
本発明の有益な効果は：本装置は出張する時、緊急事務をする状況に、事務机がないせいで事務効率が低い問題を克服でき、パソコンオフィスバッグをパソコン台に変身させ、持ち歩きにも事務にも便利を与える。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のパソコンオフィスバッグの全体断面の正面構成模式図
【図２】図２は本発明の図１の側面断面図
【図３】図３は本発明の図２のＢーＢの方向の断面図
【図４】図４は本発明の図２のＡ―Ａの方向の断面図
【図５】図５は本発明の図４のＣ―Ｃの方向の断面図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１３】
図１〜５を参考して、本発明のパソコンオフィスバッグは、本体２１を含み、前記本体２１の中には外部に連通する開口溝３８が設置され、前記開口溝３８の上端壁には外部空間に連通する翻転溝６７が設置され、前記翻転溝６７の上端壁には長いスライド溝２２が設置され、前記開口溝３８の中には格納ボード６８がスライドできるように連結され、前記格納ボード６８の上端面には折畳みボード４２が固定的に設置され、前記折畳みボード４２と前記翻転溝６７とがスライドできるように連結され、前記折畳みボード４２の中にはヒンジ軸２３が左右に対称的に回転できるように連結され、前記ヒンジ軸２３の左右両端にはヒンジ片２４が対称的に回転できるように連結され、前記ヒンジ片２４と前記折畳みボード４２とが固定的に連結され、二つの前記ヒンジ軸２３が前記折畳みボード４２を三つの部分に分け、前記折畳みボード４２の上端面には前記長いスライド溝２２とがスライドできるように連結された小スライダ２５が固定的に設置され、前記格納ボード６８の左端には左に開口した延長ボードスライド溝３６が設置され、前記延長ボードスライド溝３６の中にはマウスを格納する延長ボード３７がスライドできるように連結され、前記延長ボードスライド溝３６の上端壁には位置制限溝４１が設置され、前記位置制限溝４１の中には前記延長ボード３７と固定的に連結される位置制限ブロック３９がスライドできるように連結され、前記位置制限ブロック３９と前記位置制限溝４１との間には位置制限撥条４０が連結され、前記延長ボード３７の下端面には下に開口した凹溝３５が設置され、前記開口溝３８の下端壁には係止ブロックスライド溝３４が設置され、前記係止ブロックスライド溝３４の前後端壁にはノブ軸３３が回転できるように連結され、前記ノブ軸３３には小歯車３２が固定的に設置され、前記係止スライド溝３４の中には前記小歯車３２と噛み合ったラック係止ブロック３１がスライドできるように連結され、前記ラック係止ブロック３１は前記凹溝３５とスライドできるように連結されることができ、前記ノブ軸３３が前に伸びて前記係止ブロックスライド溝３４を貫通して外部空間に入って前記本体２１の前端面と回転できるように連結され、前記ノブ軸３３の前端面にはノブ４６が固定的に設置され、前記開口溝３８の下端壁には歯車溝３０が設置され、前記歯車溝３０の前後端壁には貫通軸２８が回転できるように連結され、前記貫通軸２８には大歯車２９が固定的に設置され、前記格納ボード６８の下端面には前記大歯車２９と噛み合ったラック２７が固定的に設置され、前記開口溝３８の後端にはパソコンを格納する保存溝４９が設置され、前記保存溝４９の上端壁にはパソコンを格納するファスナー４５が設置され、前記保存溝４９の後端には支持溝４８が設置され、前記支持溝４８の中には支持装置１０１が設置され、前記貫通軸２８の回転は前記支持装置１０１の回転と移動を制御でき、前記本体２１の上端面には手で引っ提げる手提げ装置１０２が設置されている。
【００１４】
前記支持装置１０１は前記支持溝４８の下端に位置する伝動チャンバ４７を含み、前記貫通軸２８は後へ伸びて前記伝動チャンバ４７の中に入っており、且つ前記伝動チャンバ４７の前後端壁が回転できるように連結され、前記貫通軸２８において前記伝動チャンバ４７の中にはウォーム６３が固定的に設置され、前記伝動チャンバ４７の左端壁には横軸６１が回転できるように連結され、前記横軸６１の左端の外周には前記ウォーム６３と噛み合ったウォームギア６２が固定的に設置され、前記横軸６１の右端には第一傘歯車６０が固定的に設置され、前記伝動チャンバ４７の上端壁にはリードスクリュー軸５３が回転できるように設置され、前記リードスクリュー軸５３の下端には前記第一傘歯車６０と噛み合った第二傘歯車５９が固定的に設置され、前記リードスクリュー軸５３が上へ伸びて前記伝動チャンバ４７の上端壁を貫通して前記支持溝４８の中に入っており且つ前記支持溝４８の下端壁と回転できるように連結され、前記支持溝４８の上端面には前記リードスクリュー軸５３と回転できるように連結された固定ボード５２が固定的に設置され、前記リードスクリュー軸５３において前記支持溝４８の中にはネジ山ブロック５８がネジ山によって連結され、前記支持溝４８の中の左右両端にはテーブル脚５１がスライドできるように連結され、前記テーブル脚５１のうち前記リードスクリュー軸５３に近接している端面には円溝５５が設置され、前記円溝５５の中にはプレインベア５４がスライドできるように連結され、前記プレインベア５４のうち前記リードスクリュー軸５３に近接している端面には自在継ぎ手ブロック５６が固定的に設置され、前記自在継ぎ手ブロック５６と前記ネジ山ブロック５８との間には細い棒５７がヒンジで連結され、前記テーブル脚５１の前端面には切替溝６４が設置され、前記支持溝４８の上端壁には左右に対称的に駆動チャンバ６６が設置され、前記駆動チャンバ６６の中には従動棒６５がヒンジで連結され、前記従動棒６５のもう一端は対応の前記切替溝６４の上端壁と回転できるように連結され、前記貫通軸２８が回転する時、前記ウォーム６３と、前記ウォームギア６２と、前記横軸６１と、前記第一傘歯車６０と、前記第二傘歯車５９と前記リードスクリュー軸５３とを回転連動させ、それにより前記ネジ山ブロック５８を上へ移動連動させて二つの前記テーブル脚５１を両側に移動させ、それによりヒンジで連結された前記従動棒６５によって前記テーブル脚５１を前記リードスクリュー軸５３から離れるように下へ運動させ、それにより前記本体２１を支持する。
【００１５】
前記手提げ装置１０２が前後に対称的に設置され、前端の装置を例にして説明し、前記手提げ装置１０２は台座４４を含み、前記台座４４が左右に対称的に二組設置され、組ごとに左右に対称的な二つが設置され、前記台座４４の組の間には短い軸５０が回転できるように連結され、前記短い軸５０には手で掴めるハンドル４３が固定的に連結され、手を前記ハンドル４３に通せば前記本体２１を提げられる。
【００１６】
パソコンを使用する時、まずはファスナー４５を引き、そして保存溝４９の中のパソコンを持ち出し、そしてノブを回し、それにより小歯車３２とノブ軸３３とを回転連動させ、ラック係止ブロック３１を下へ移動させ、延長棒３７を弾き出し、そして延長棒３７を掴んで左へ引っ張り、それにより格納ボード６８と折畳みボード４２とを左へ移動連動させ、そして折畳みボード４２を二回折り、格納ボード６８を本体２１の前端面に置けるようにし、ラック２７が左へ移動する時、大歯車２９と貫通軸２８とを回転連動させ、それによりウォーム６３と、ウォームギア６２と、横軸６１と、第一傘歯車６０と、第二傘歯車５９とリードスクリュー軸５３とを回転連動させ、それによりネジ山ブロック５８を上へ移動連動させて二つのテーブル脚５１を両側に移動させ、それによりヒンジで連結された従動棒６５によって、テーブル脚５１のうちリードスクリュー軸５３から離れている一端を下へ運動させ、それにより本体２１を支持し、そしてパソコンとマウスを其々格納ボード６８と延長ボード３７に置けば良い。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179097.tif 000003
【図２】
2020179097.tif 000004
【図３】
2020179097.tif 000005
【図４】
2020179097.tif 000006
【図５】
2020179097.tif 000007
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には外部に連通する開口溝が設置され、前記開口溝の上端壁には外部空間に連通する翻転空間が設置され、前記翻転空間の上端壁には長いスライド溝が設置され、前記開口溝の中には格納ボードがスライドできるように連結され、前記格納ボードの上端面には折畳みボードが固定的に設置され、前記折畳みボードと前記翻転空間とがスライドできるように連結され、前記折畳みボードの中にはヒンジ軸が左右に対称的に回転できるように連結され、前記ヒンジ軸の左右両端にはヒンジ片が対称的にかつ回転できるように連結され、前記ヒンジ片と前記折畳みボードとが固定的に連結され、二つの前記ヒンジ軸が前記折畳みボードを三つの部分に分け、前記折畳みボードの上端面には前記長いスライド溝とがスライドできるように連結された小スライダが固定的に設置され、前記格納ボードの左端には左に開口した延長ボードスライド溝が設置され、前記延長ボードスライド溝の中にはマウスを格納する延長ボードがスライドできるように連結され、前記延長ボードスライド溝の上端壁には位置制限溝が設置され、前記位置制限溝の中には前記延長ボードと固定的に連結される位置制限ブロックがスライドできるように連結され、前記位置制限ブロックと前記位置制限溝との間には連結撥条が連結され、前記延長ボードの下端面には下に開口した凹溝が設置され、前記開口溝の下端壁には係止ブロックスライド溝が設置され、前記係止ブロックスライド溝の前後端壁にはノブ軸が回転できるように連結され、前記ノブ軸には小歯車が固定的に設置され、前記係止ブロックスライド溝の中には前記小歯車と噛み合ったラック係止ブロックがスライドできるように連結され、前記ラック係止ブロックは前記凹溝とスライドできるように連結されることができ、前記ノブ軸が前に伸びて前記係止ブロックスライド溝を貫通して外部空間に入って前記本体の前端面と回転できるように連結され、前記ノブ軸の前端面にはノブが固定的に設置され、前記開口溝の下端壁には歯車溝が設置され、前記歯車溝の前後端壁には貫通軸が回転できるように連結され、前記貫通軸には大歯車が固定的に設置され、前記格納ボードの下端面には前記大歯車と噛み合ったラックが固定的に設置され、前記開口溝の後端にはパソコンを格納する保存溝が設置され、前記保存溝の上端壁にはファスナーが設置され、前記ファスナーからパソンコンを入れることができ、前記保存溝の後端には支持溝が設置され、前記支持溝の中には支持装置が設置され、前記貫通軸の回転は前記支持装置の回転と移動を制御でき、前記本体の上端面には手で引っ提げる手提げ装置が設置されており、
パソコンを使用する時、まずは前記ファスナーを引き、そして前記保存溝の中のパソコンを持ち出し、そして前記ノブを回し、それにより前記小歯車と前記ノブ軸とを回転連動させ、前記ラック係止ブロックを下へ移動させ、前記延長棒を弾き出し、そして前記延長棒を掴んで左へ引っ張り、それにより前記格納ボードと前記折畳みボードとを左へ移動連動させ、そして前記折畳みボードを二回折り、前記格納ボードを本体の前端面に置けるようにし、前記ラックが左へ移動する時、前記大歯車と前記貫通軸とを回転連動させ、それにより前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって、前記テーブル脚のうち前記リードスクリュー軸から離れている一端を下へ運動させ、それにより前記本体を支持し、そしてパソコンとマウスを其々前記格納ボードと前記延長ボードに置けば良いことを特徴とするパソコンオフィスバッグ。
【請求項２】
前記支持装置は前記支持溝の下端に位置する伝動チャンバを含み、前記貫通軸は後へ伸びて前記伝動チャンバの中に入っており、且つ前記伝動チャンバの前後端壁と回転できるように連結され、前記貫通軸において前記伝動チャンバの中にはウォームが固定的に設置され、前記伝動チャンバの左端壁には横軸が回転できるように連結され、前記横軸の左端の外周には前記ウォームと噛み合ったウォームギアが固定的に設置され、前記横軸の右端には第一傘歯車が固定的に設置され、前記伝動チャンバの上端壁にはリードスクリュー軸が回転できるように設置され、前記リードスクリュー軸の下端には前記第一傘歯車と噛み合った第二傘歯車が固定的に設置され、前記リードスクリュー軸が上へ伸びて前記伝動チャンバの上端壁を貫通して前記支持溝の中に入っており且つ前記支持溝の下端壁と回転できるように連結され、前記支持溝の上端面には前記リードスクリュー軸と回転できるように連結された固定ボードが固定的に設置され、前記リードスクリュー軸において前記支持溝の中にはネジ山ブロックがネジ山によって連結され、前記支持溝の中の左右両端にはテーブル脚がスライドできるように連結され、前記テーブル脚のうち前記リードスクリュー軸に近接している端面には円溝が設置され、前記円溝の中には自在継ぎ手がスライドできるように連結され、前記自在継ぎ手のうち前記リードスクリュー軸に近接している端面には自在継ぎ手ブロックが固定的に設置され、前記自在継ぎ手ブロックと前記ネジ山ブロックとの間には細い棒がヒンジで連結され、前記テーブル脚の前端面には切替溝が設置され、前記支持溝の上端壁には左右に対称的に駆動チャンバが設置され、前記駆動チャンバの中には従動棒がヒンジで連結され、前記従動棒の一端は対応の前記切替溝の前端壁と回転できるように連結され、前記貫通軸が回転する時、前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって前記テーブル脚を前記リードスクリュー軸から離れるように下へ運動させ、それにより前記本体を支持することを特徴とする請求項１に記載のパソコンオフィスバッグ。
【請求項３】
前記手提げ装置が前後に対称的に設置され、前記手提げ装置は台座を含み、前記台座が左右に対称的に二組設置され、組ごとに左右に対称的な二つが設置され、前記台座の組の間には短い軸が回転できるように連結され、前記短い軸には手で掴めるハンドルが固定的に連結され、手を前記ハンドルに通せば前記本体を提げられることを特徴とする請求項１に記載のパソコンオフィスバッグ。
【手続補正２】
【補正対象書類名】明細書
【補正対象項目名】全文
【補正方法】変更
【補正の内容】
【発明の詳細な説明】
【技術分野】
【０００１】
本発明は事務用品分野を取り上げて、具体的にはパソコンオフィスバッグである。
【背景技術】
【０００２】
現在、会社員が出張する時、パソコンオフィスバッグを持ってパソコンを保存し、外出する時いつも緊急事務があり、しかしこんな緊急事態では事務机がないため、事務効率が極めて低く、それにミスが出やすい。
【先行技術文献】
【特許文献】
【０００３】
【特許文献１】中国特許出願公開第１０３１６９２２８号明細書
【発明の概要】
【発明が解決しようとする課題】
【０００４】
本発明の目的はパソコンオフィスバッグを提供し、上記背景技術に提出される問題を解決する。
【課題を解決するための手段】
【０００５】
本発明のパソコンオフィスバッグは、本体を含み、前記本体の中には外部に連通する開口溝が設置され、前記開口溝の上端壁には外部空間に連通する翻転空間が設置され、前記翻転空間の上端壁には長いスライド溝が設置され、前記開口溝の中には格納ボードがスライドできるように連結され、前記格納ボードの上端面には折畳みボードが固定的に設置され、前記折畳みボードと前記翻転空間とがスライドできるように連結され、前記折畳みボードの中にはヒンジ軸が左右に対称的に回転できるように連結され、前記ヒンジ軸の左右両端にはヒンジ片が対称的にかつ回転できるように連結され、前記ヒンジ片と前記折畳みボードとが固定的に連結され、二つの前記ヒンジ軸が前記折畳みボードを三つの部分に分け、前記折畳みボードの上端面には前記長いスライド溝とがスライドできるように連結された小スライダが固定的に設置され、前記格納ボードの左端には左に開口した延長ボードスライド溝が設置され、前記延長ボードスライド溝の中にはマウスを格納する延長ボードがスライドできるように連結され、前記延長ボードスライド溝の上端壁には位置制限溝が設置され、前記位置制限溝の中には前記延長ボードと固定的に連結される位置制限ブロックがスライドできるように連結され、前記位置制限ブロックと前記位置制限溝との間には連結撥条が連結され、前記延長ボードの下端面には下に開口した凹溝が設置され、前記開口溝の下端壁には係止ブロックスライド溝が設置され、前記係止ブロックスライド溝の前後端壁にはノブ軸が回転できるように連結され、前記ノブ軸には小歯車が固定的に設置され、前記係止ブロックスライド溝の中には前記小歯車と噛み合ったラック係止ブロックがスライドできるように連結され、前記ラック係止ブロックは前記凹溝とスライドできるように連結されることができ、前記ノブ軸が前に伸びて前記係止ブロックスライド溝を貫通して外部空間に入って前記本体の前端面と回転できるように連結され、前記ノブ軸の前端面にはノブが固定的に設置され、前記開口溝の下端壁には歯車溝が設置され、前記歯車溝の前後端壁には貫通軸が回転できるように連結され、前記貫通軸には大歯車が固定的に設置され、前記格納ボードの下端面には前記大歯車と噛み合ったラックが固定的に設置され、前記開口溝の後端にはパソコンを格納する保存溝が設置され、前記保存溝の上端壁にはファスナーが設置され、前記ファスナーからパソンコンを入れることができ、前記保存溝の後端には支持溝が設置され、前記支持溝の中には支持装置が設置され、前記貫通軸の回転は前記支持装置の回転と移動を制御でき、前記本体の上端面には手で引っ提げる手提げ装置が設置されている。
【０００６】
更なる技術方案、前記支持装置は前記支持溝の下端に位置する伝動チャンバを含み、前記貫通軸は後へ伸びて前記伝動チャンバの中に入っており、且つ前記伝動チャンバの前後端壁と回転できるように連結され、前記貫通軸において前記伝動チャンバの中にはウォームが固定的に設置され、前記伝動チャンバの左端壁には横軸が回転できるように連結され、前記横軸の左端の外周には前記ウォームと噛み合ったウォームギアが固定的に設置され、前記横軸の右端には第一傘歯車が固定的に設置され、前記伝動チャンバの上端壁にはリードスクリュー軸が回転できるように設置され、前記リードスクリュー軸の下端には前記第一傘歯車と噛み合った第二傘歯車が固定的に設置され、前記リードスクリュー軸が上へ伸びて前記伝動チャンバの上端壁を貫通して前記支持溝の中に入っており且つ前記支持溝の下端壁と回転できるように連結され、前記支持溝の上端面には前記リードスクリュー軸と回転できるように連結された固定ボードが固定的に設置され、前記リードスクリュー軸において前記支持溝の中にはネジ山ブロックがネジ山によって連結され、前記支持溝の中の左右両端にはテーブル脚がスライドできるように連結され、前記テーブル脚のうち前記リードスクリュー軸に近接している端面には円溝が設置され、前記円溝の中には自在継ぎ手がスライドできるように連結され、前記自在継ぎ手のうち前記リードスクリュー軸に近接している端面には自在継ぎ手ブロックが固定的に設置され、前記自在継ぎ手ブロックと前記ネジ山ブロックとの間には細い棒がヒンジで連結され、前記テーブル脚の前端面には切替溝が設置され、前記支持溝の上端壁には左右に対称的に駆動チャンバが設置され、前記駆動チャンバの中には従動棒がヒンジで連結され、前記従動棒の一端は対応の前記切替溝の前端壁と回転できるように連結され、前記貫通軸が回転する時、前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって前記テーブル脚を前記リードスクリュー軸から離れるように下へ運動させ、それにより前記本体を支持する。
【０００７】
更なる技術方案、前記手提げ装置が前後に対称的に設置され、前記手提げ装置は台座を含み、前記台座が左右に対称的に二組設置され、組ごとに左右に対称的な二つが設置され、前記台座の組の間には短い軸が回転できるように連結され、前記短い軸には手で掴めるハンドルが固定的に連結され、手を前記ハンドルに通せば前記本体を提げられる。
【発明の効果】
【０００８】
本発明の有益な効果は：本装置は出張する時、緊急事務をする状況に、事務机がないせいで事務効率が低い問題を克服でき、パソコンオフィスバッグをパソコン台に変身させ、持ち歩きにも事務にも便利を与える。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のパソコンオフィスバッグの全体断面の正面構成模式図
【図２】図２は本発明の図１の側面断面図
【図３】図３は本発明の図２のＢーＢの方向の断面図
【図４】図４は本発明の図２のＡ―Ａの方向の断面図
【図５】図５は本発明の図４のＣ―Ｃの方向の断面図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１３】
図１〜５を参考して、本発明のパソコンオフィスバッグは、本体２１を含み、前記本体２１の中には外部に連通する開口溝３８が設置され、前記開口溝３８の上端壁には外部空間に連通する翻転空間６７が設置され、前記翻転空間６７の上端壁には長いスライド溝２２が設置され、前記開口溝３８の中には格納ボード６８がスライドできるように連結され、前記格納ボード６８の上端面には折畳みボード４２が固定的に設置され、前記折畳みボード４２と前記翻転空間６７とがスライドできるように連結され、前記折畳みボード４２の中にはヒンジ軸２３が左右に対称的に回転できるように連結され、前記ヒンジ軸２３の左右両端にはヒンジ片２４が対称的にかつ回転できるように連結され、前記ヒンジ片２４と前記折畳みボード４２とが固定的に連結され、二つの前記ヒンジ軸２３が前記折畳みボード４２を三つの部分に分け、前記折畳みボード４２の上端面には前記長いスライド溝２２とがスライドできるように連結された小スライダ２５が固定的に設置され、前記格納ボード６８の左端には左に開口した延長ボードスライド溝３６が設置され、前記延長ボードスライド溝３６の中にはマウスを格納する延長ボード３７がスライドできるように連結され、前記延長ボードスライド溝３６の上端壁には位置制限溝４１が設置され、前記位置制限溝４１の中には前記延長ボード３７と固定的に連結される位置制限ブロック３９がスライドできるように連結され、前記位置制限ブロック３９と前記位置制限溝４１との間には連結撥条４０が連結され、前記延長ボード３７の下端面には下に開口した凹溝３５が設置され、前記開口溝３８の下端壁には係止ブロックスライド溝３４が設置され、前記係止ブロックスライド溝３４の前後端壁にはノブ軸３３が回転できるように連結され、前記ノブ軸３３には小歯車３２が固定的に設置され、前記係止ブロックスライド溝３４の中には前記小歯車３２と噛み合ったラック係止ブロック３１がスライドできるように連結され、前記ラック係止ブロック３１は前記凹溝３５とスライドできるように連結されることができ、前記ノブ軸３３が前に伸びて前記係止ブロックスライド溝３４を貫通して外部空間に入って前記本体２１の前端面と回転できるように連結され、前記ノブ軸３３の前端面にはノブ４６が固定的に設置され、前記開口溝３８の下端壁には歯車溝３０が設置され、前記歯車溝３０の前後端壁には貫通軸２８が回転できるように連結され、前記貫通軸２８には大歯車２９が固定的に設置され、前記格納ボード６８の下端面には前記大歯車２９と噛み合ったラック２７が固定的に設置され、前記開口溝３８の後端にはパソコンを格納する保存溝４９が設置され、前記保存溝４９の上端壁にはファスナー４５が設置され、前記ファスナー４５からパソンコンを入れることができ、前記保存溝４９の後端には支持溝４８が設置され、前記支持溝４８の中には支持装置１０１が設置され、前記貫通軸２８の回転は前記支持装置１０１の回転と移動を制御でき、前記本体２１の上端面には手で引っ提げる手提げ装置１０２が設置されている。
【００１４】
前記支持装置１０１は前記支持溝４８の下端に位置する伝動チャンバ４７を含み、前記貫通軸２８は後へ伸びて前記伝動チャンバ４７の中に入っており、且つ前記伝動チャンバ４７の前後端壁と回転できるように連結され、前記貫通軸２８において前記伝動チャンバ４７の中にはウォーム６３が固定的に設置され、前記伝動チャンバ４７の左端壁には横軸６１が回転できるように連結され、前記横軸６１の左端の外周には前記ウォーム６３と噛み合ったウォームギア６２が固定的に設置され、前記横軸６１の右端には第一傘歯車６０が固定的に設置され、前記伝動チャンバ４７の上端壁にはリードスクリュー軸５３が回転できるように設置され、前記リードスクリュー軸５３の下端には前記第一傘歯車６０と噛み合った第二傘歯車５９が固定的に設置され、前記リードスクリュー軸５３が上へ伸びて前記伝動チャンバ４７の上端壁を貫通して前記支持溝４８の中に入っており且つ前記支持溝４８の下端壁と回転できるように連結され、前記支持溝４８の上端面には前記リードスクリュー軸５３と回転できるように連結された固定ボード５２が固定的に設置され、前記リードスクリュー軸５３において前記支持溝４８の中にはネジ山ブロック５８がネジ山によって連結され、前記支持溝４８の中の左右両端にはテーブル脚５１がスライドできるように連結され、前記テーブル脚５１のうち前記リードスクリュー軸５３に近接している端面には円溝５５が設置され、前記円溝５５の中には自在継ぎ手５４がスライドできるように連結され、前記自在継ぎ手５４のうち前記リードスクリュー軸５３に近接している端面には自在継ぎ手ブロック５６が固定的に設置され、前記自在継ぎ手ブロック５６と前記ネジ山ブロック５８との間には細い棒５７がヒンジで連結され、前記テーブル脚５１の前端面には切替溝６４が設置され、前記支持溝４８の上端壁には左右に対称的に駆動チャンバ６６が設置され、前記駆動チャンバ６６の中には従動棒６５がヒンジで連結され、前記従動棒６５の一端は対応の前記切替溝６４の前端壁と回転できるように連結される。
【００１５】
前記手提げ装置１０２が前後に対称的に設置され、前記手提げ装置１０２は台座４４を含み、前記台座４４が左右に対称的に二組設置され、組ごとに左右に対称的な二つが設置され、前記台座４４の組の間には短い軸５０が回転できるように連結され、前記短い軸５０には手で掴めるハンドル４３が固定的に連結され、手を前記ハンドル４３に通せば前記本体２１を提げられる。
【００１６】
パソコンを使用する時、まずはファスナー４５を引き、そして保存溝４９の中のパソコンを持ち出し、そしてノブを回し、それにより小歯車３２とノブ軸３３とを回転連動させ、ラック係止ブロック３１を下へ移動させ、延長棒３７を弾き出し、そして延長棒３７を掴んで左へ引っ張り、それにより格納ボード６８と折畳みボード４２とを左へ移動連動させ、そして折畳みボード４２を二回折り、格納ボード６８を本体２１の前端面に置けるようにし、ラック２７が左へ移動する時、大歯車２９と貫通軸２８とを回転連動させ、それによりウォーム６３と、ウォームギア６２と、横軸６１と、第一傘歯車６０と、第二傘歯車５９とリードスクリュー軸５３とを回転連動させ、それによりネジ山ブロック５８を上へ移動連動させて二つのテーブル脚５１を両側に移動させ、それによりヒンジで連結された従動棒６５によって、テーブル脚５１のうちリードスクリュー軸５３から離れている一端を下へ運動させ、それにより本体２１を支持し、そしてパソコンとマウスを其々格納ボード６８と延長ボード３７に置けば良い。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和2年8月1日(2020.8.1)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には外部に連通する開口溝が設置され、前記開口溝の上端壁には外部空間に連通する翻転空間が設置され、前記翻転空間の上端壁には長いスライド溝が設置され、前記開口溝の中には格納ボードがスライドできるように連結され、前記格納ボードの上端面には折畳みボードが固定的に設置され、前記折畳みボードと前記翻転空間とがスライドできるように連結され、前記折畳みボードの中にはヒンジ軸が左右に対称的に回転できるように連結され、前記ヒンジ軸の左右両端にはヒンジ片が対称的にかつ回転できるように連結され、前記ヒンジ片と前記折畳みボードとが固定的に連結され、二つの前記ヒンジ軸が前記折畳みボードを三つの部分に分け、前記折畳みボードの上端面には前記長いスライド溝とがスライドできるように連結された小スライダが固定的に設置され、前記格納ボードの左端には左に開口した延長ボードスライド溝が設置され、前記延長ボードスライド溝の中にはマウスを格納する延長ボードがスライドできるように連結され、前記延長ボードスライド溝の上端壁には位置制限溝が設置され、前記位置制限溝の中には前記延長ボードと固定的に連結される位置制限ブロックがスライドできるように連結され、前記位置制限ブロックと前記位置制限溝との間には連結撥条が連結され、前記延長ボードの下端面には下に開口した凹溝が設置され、前記開口溝の下端壁には係止ブロックスライド溝が設置され、前記係止ブロックスライド溝の前後端壁にはノブ軸が回転できるように連結され、前記ノブ軸には小歯車が固定的に設置され、前記係止ブロックスライド溝の中には前記小歯車と噛み合ったラック係止ブロックがスライドできるように連結され、前記ラック係止ブロックは前記凹溝とスライドできるように連結されることができ、前記ノブ軸が前に伸びて前記係止ブロックスライド溝を貫通して外部空間に入って前記本体の前端面と回転できるように連結され、前記ノブ軸の前端面にはノブが固定的に設置され、前記開口溝の下端壁には歯車溝が設置され、前記歯車溝の前後端壁には貫通軸が回転できるように連結され、前記貫通軸には大歯車が固定的に設置され、前記格納ボードの下端面には前記大歯車と噛み合ったラックが固定的に設置され、前記開口溝の後端にはパソコンを格納する保存溝が設置され、前記保存溝の上端壁にはファスナーが設置され、前記ファスナーからパソンコンを入れることができ、前記保存溝の後端には支持溝が設置され、前記支持溝の中には支持装置が設置され、前記貫通軸の回転は前記支持装置の回転と移動を制御でき、前記本体の上端面には手で引っ提げる手提げ装置が設置されており、
前記支持装置は前記支持溝の下端に位置する伝動チャンバを含み、前記貫通軸は後へ伸びて前記伝動チャンバの中に入っており、且つ前記伝動チャンバの前後端壁と回転できるように連結され、前記貫通軸において前記伝動チャンバの中にはウォームが固定的に設置され、前記伝動チャンバの左端壁には横軸が回転できるように連結され、前記横軸の左端の外周には前記ウォームと噛み合ったウォームギアが固定的に設置され、前記横軸の右端には第一傘歯車が固定的に設置され、前記伝動チャンバの上端壁にはリードスクリュー軸が回転できるように設置され、前記リードスクリュー軸の下端には前記第一傘歯車と噛み合った第二傘歯車が固定的に設置され、前記リードスクリュー軸が上へ伸びて前記伝動チャンバの上端壁を貫通して前記支持溝の中に入っており且つ前記支持溝の下端壁と回転できるように連結され、前記支持溝の上端面には前記リードスクリュー軸と回転できるように連結された固定ボードが固定的に設置され、前記リードスクリュー軸において前記支持溝の中にはネジ山ブロックがネジ山によって連結され、前記支持溝の中の左右両端にはテーブル脚がスライドできるように連結され、前記テーブル脚のうち前記リードスクリュー軸に近接している端面には円溝が設置され、前記円溝の中にはボールジョイントがスライドできるように連結され、前記ボールジョイントのうち前記リードスクリュー軸に近接している端面にはボールジョイントブロックが固定的に設置され、前記ボールジョイントブロックと前記ネジ山ブロックとの間には細い棒がヒンジで連結され、前記テーブル脚の前端面には切替溝が設置され、前記支持溝の上端壁には左右に対称的に駆動チャンバが設置され、前記駆動チャンバの中には従動棒がヒンジで連結され、前記従動棒の一端は対応の前記切替溝の前端壁と回転できるように連結され、前記貫通軸が回転する時、前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって前記テーブル脚を前記リードスクリュー軸から離れるように下へ運動させ、それにより前記本体を支持し、
前記手提げ装置が前後に対称的に設置され、前記手提げ装置は台座を含み、前記台座が左右に対称的に二組設置され、組ごとに左右に対称的な二つが設置され、前記台座の組の間には短い軸が回転できるように連結され、前記短い軸には手で掴めるハンドルが固定的に連結され、手を前記ハンドルに通せば前記本体を提げられ、
パソコンを使用する時、まずは前記ファスナーを引き、そして前記保存溝の中のパソコンを持ち出し、そして前記ノブを回し、それにより前記小歯車と前記ノブ軸とを回転連動させ、前記ラック係止ブロックを下へ移動させ、前記延長棒を弾き出し、そして前記延長棒を掴んで左へ引っ張り、それにより前記格納ボードと前記折畳みボードとを左へ移動連動させ、そして前記折畳みボードを二回折り、前記格納ボードを本体の前端面に置けるようにし、前記ラックが左へ移動する時、前記大歯車と前記貫通軸とを回転連動させ、それにより前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって、前記テーブル脚のうち前記リードスクリュー軸から離れている一端を下へ運動させ、それにより前記本体を支持し、そしてパソコンとマウスを其々前記格納ボードと前記延長ボードに置けば良いことを特徴とするパソコンオフィスバッグ。
【手続補正２】
【補正対象書類名】明細書
【補正対象項目名】全文
【補正方法】変更
【補正の内容】
【発明の詳細な説明】
【技術分野】
【０００１】
本発明は事務用品分野を取り上げて、具体的にはパソコンオフィスバッグである。
【背景技術】
【０００２】
現在、会社員が出張する時、パソコンオフィスバッグを持ってパソコンを保存し、外出する時いつも緊急事務があり、しかしこんな緊急事態では事務机がないため、事務効率が極めて低く、それにミスが出やすい。
【先行技術文献】
【特許文献】
【０００３】
【特許文献１】中国特許出願公開第１０３１６９２２８号明細書
【発明の概要】
【発明が解決しようとする課題】
【０００４】
本発明の目的はパソコンオフィスバッグを提供し、上記背景技術に提出される問題を解決する。
【課題を解決するための手段】
【０００５】
本発明のパソコンオフィスバッグは、本体を含み、前記本体の中には外部に連通する開口溝が設置され、前記開口溝の上端壁には外部空間に連通する翻転空間が設置され、前記翻転空間の上端壁には長いスライド溝が設置され、前記開口溝の中には格納ボードがスライドできるように連結され、前記格納ボードの上端面には折畳みボードが固定的に設置され、前記折畳みボードと前記翻転空間とがスライドできるように連結され、前記折畳みボードの中にはヒンジ軸が左右に対称的に回転できるように連結され、前記ヒンジ軸の左右両端にはヒンジ片が対称的にかつ回転できるように連結され、前記ヒンジ片と前記折畳みボードとが固定的に連結され、二つの前記ヒンジ軸が前記折畳みボードを三つの部分に分け、前記折畳みボードの上端面には前記長いスライド溝とがスライドできるように連結された小スライダが固定的に設置され、前記格納ボードの左端には左に開口した延長ボードスライド溝が設置され、前記延長ボードスライド溝の中にはマウスを格納する延長ボードがスライドできるように連結され、前記延長ボードスライド溝の上端壁には位置制限溝が設置され、前記位置制限溝の中には前記延長ボードと固定的に連結される位置制限ブロックがスライドできるように連結され、前記位置制限ブロックと前記位置制限溝との間には連結撥条が連結され、前記延長ボードの下端面には下に開口した凹溝が設置され、前記開口溝の下端壁には係止ブロックスライド溝が設置され、前記係止ブロックスライド溝の前後端壁にはノブ軸が回転できるように連結され、前記ノブ軸には小歯車が固定的に設置され、前記係止ブロックスライド溝の中には前記小歯車と噛み合ったラック係止ブロックがスライドできるように連結され、前記ラック係止ブロックは前記凹溝とスライドできるように連結されることができ、前記ノブ軸が前に伸びて前記係止ブロックスライド溝を貫通して外部空間に入って前記本体の前端面と回転できるように連結され、前記ノブ軸の前端面にはノブが固定的に設置され、前記開口溝の下端壁には歯車溝が設置され、前記歯車溝の前後端壁には貫通軸が回転できるように連結され、前記貫通軸には大歯車が固定的に設置され、前記格納ボードの下端面には前記大歯車と噛み合ったラックが固定的に設置され、前記開口溝の後端にはパソコンを格納する保存溝が設置され、前記保存溝の上端壁にはファスナーが設置され、前記ファスナーからパソンコンを入れることができ、前記保存溝の後端には支持溝が設置され、前記支持溝の中には支持装置が設置され、前記貫通軸の回転は前記支持装置の回転と移動を制御でき、前記本体の上端面には手で引っ提げる手提げ装置が設置されている。
【０００６】
更なる技術方案、前記支持装置は前記支持溝の下端に位置する伝動チャンバを含み、前記貫通軸は後へ伸びて前記伝動チャンバの中に入っており、且つ前記伝動チャンバの前後端壁と回転できるように連結され、前記貫通軸において前記伝動チャンバの中にはウォームが固定的に設置され、前記伝動チャンバの左端壁には横軸が回転できるように連結され、前記横軸の左端の外周には前記ウォームと噛み合ったウォームギアが固定的に設置され、前記横軸の右端には第一傘歯車が固定的に設置され、前記伝動チャンバの上端壁にはリードスクリュー軸が回転できるように設置され、前記リードスクリュー軸の下端には前記第一傘歯車と噛み合った第二傘歯車が固定的に設置され、前記リードスクリュー軸が上へ伸びて前記伝動チャンバの上端壁を貫通して前記支持溝の中に入っており且つ前記支持溝の下端壁と回転できるように連結され、前記支持溝の上端面には前記リードスクリュー軸と回転できるように連結された固定ボードが固定的に設置され、前記リードスクリュー軸において前記支持溝の中にはネジ山ブロックがネジ山によって連結され、前記支持溝の中の左右両端にはテーブル脚がスライドできるように連結され、前記テーブル脚のうち前記リードスクリュー軸に近接している端面には円溝が設置され、前記円溝の中にはボールジョイントがスライドできるように連結され、前記ボールジョイントのうち前記リードスクリュー軸に近接している端面にはボールジョイントブロックが固定的に設置され、前記ボールジョイントブロックと前記ネジ山ブロックとの間には細い棒がヒンジで連結され、前記テーブル脚の前端面には切替溝が設置され、前記支持溝の上端壁には左右に対称的に駆動チャンバが設置され、前記駆動チャンバの中には従動棒がヒンジで連結され、前記従動棒の一端は対応の前記切替溝の前端壁と回転できるように連結され、前記貫通軸が回転する時、前記ウォームと、前記ウォームギアと、前記横軸と、前記第一傘歯車と、前記第二傘歯車と前記リードスクリュー軸とを回転連動させ、それにより前記ネジ山ブロックを上へ移動連動させて二つの前記テーブル脚を両側に移動させ、それによりヒンジで連結された前記従動棒によって前記テーブル脚を前記リードスクリュー軸から離れるように下へ運動させ、それにより前記本体を支持する。
【０００７】
更なる技術方案、前記手提げ装置が前後に対称的に設置され、前記手提げ装置は台座を含み、前記台座が左右に対称的に二組設置され、組ごとに左右に対称的な二つが設置され、前記台座の組の間には短い軸が回転できるように連結され、前記短い軸には手で掴めるハンドルが固定的に連結され、手を前記ハンドルに通せば前記本体を提げられる。
【発明の効果】
【０００８】
本発明の有益な効果は：本装置は出張する時、緊急事務をする状況に、事務机がないせいで事務効率が低い問題を克服でき、パソコンオフィスバッグをパソコン台に変身させ、持ち歩きにも事務にも便利を与える。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のパソコンオフィスバッグの全体断面の正面構成模式図
【図２】図２は本発明の図１の側面断面図
【図３】図３は本発明の図２のＢーＢの方向の断面図
【図４】図４は本発明の図２のＡ―Ａの方向の断面図
【図５】図５は本発明の図４のＣ―Ｃの方向の断面図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１３】
図１〜５を参考して、本発明のパソコンオフィスバッグは、本体２１を含み、前記本体２１の中には外部に連通する開口溝３８が設置され、前記開口溝３８の上端壁には外部空間に連通する翻転空間６７が設置され、前記翻転空間６７の上端壁には長いスライド溝２２が設置され、前記開口溝３８の中には格納ボード６８がスライドできるように連結され、前記格納ボード６８の上端面には折畳みボード４２が固定的に設置され、前記折畳みボード４２と前記翻転空間６７とがスライドできるように連結され、前記折畳みボード４２の中にはヒンジ軸２３が左右に対称的に回転できるように連結され、前記ヒンジ軸２３の左右両端にはヒンジ片２４が対称的にかつ回転できるように連結され、前記ヒンジ片２４と前記折畳みボード４２とが固定的に連結され、二つの前記ヒンジ軸２３が前記折畳みボード４２を三つの部分に分け、前記折畳みボード４２の上端面には前記長いスライド溝２２とがスライドできるように連結された小スライダ２５が固定的に設置され、前記格納ボード６８の左端には左に開口した延長ボードスライド溝３６が設置され、前記延長ボードスライド溝３６の中にはマウスを格納する延長ボード３７がスライドできるように連結され、前記延長ボードスライド溝３６の上端壁には位置制限溝４１が設置され、前記位置制限溝４１の中には前記延長ボード３７と固定的に連結される位置制限ブロック３９がスライドできるように連結され、前記位置制限ブロック３９と前記位置制限溝４１との間には連結撥条４０が連結され、前記延長ボード３７の下端面には下に開口した凹溝３５が設置され、前記開口溝３８の下端壁には係止ブロックスライド溝３４が設置され、前記係止ブロックスライド溝３４の前後端壁にはノブ軸３３が回転できるように連結され、前記ノブ軸３３には小歯車３２が固定的に設置され、前記係止ブロックスライド溝３４の中には前記小歯車３２と噛み合ったラック係止ブロック３１がスライドできるように連結され、前記ラック係止ブロック３１は前記凹溝３５とスライドできるように連結されることができ、前記ノブ軸３３が前に伸びて前記係止ブロックスライド溝３４を貫通して外部空間に入って前記本体２１の前端面と回転できるように連結され、前記ノブ軸３３の前端面にはノブ４６が固定的に設置され、前記開口溝３８の下端壁には歯車溝３０が設置され、前記歯車溝３０の前後端壁には貫通軸２８が回転できるように連結され、前記貫通軸２８には大歯車２９が固定的に設置され、前記格納ボード６８の下端面には前記大歯車２９と噛み合ったラック２７が固定的に設置され、前記開口溝３８の後端にはパソコンを格納する保存溝４９が設置され、前記保存溝４９の上端壁にはファスナー４５が設置され、前記ファスナー４５からパソンコンを入れることができ、前記保存溝４９の後端には支持溝４８が設置され、前記支持溝４８の中には支持装置１０１が設置され、前記貫通軸２８の回転は前記支持装置１０１の回転と移動を制御でき、前記本体２１の上端面には手で引っ提げる手提げ装置１０２が設置されている。
【００１４】
前記支持装置１０１は前記支持溝４８の下端に位置する伝動チャンバ４７を含み、前記貫通軸２８は後へ伸びて前記伝動チャンバ４７の中に入っており、且つ前記伝動チャンバ４７の前後端壁と回転できるように連結され、前記貫通軸２８において前記伝動チャンバ４７の中にはウォーム６３が固定的に設置され、前記伝動チャンバ４７の左端壁には横軸６１が回転できるように連結され、前記横軸６１の左端の外周には前記ウォーム６３と噛み合ったウォームギア６２が固定的に設置され、前記横軸６１の右端には第一傘歯車６０が固定的に設置され、前記伝動チャンバ４７の上端壁にはリードスクリュー軸５３が回転できるように設置され、前記リードスクリュー軸５３の下端には前記第一傘歯車６０と噛み合った第二傘歯車５９が固定的に設置され、前記リードスクリュー軸５３が上へ伸びて前記伝動チャンバ４７の上端壁を貫通して前記支持溝４８の中に入っており且つ前記支持溝４８の下端壁と回転できるように連結され、前記支持溝４８の上端面には前記リードスクリュー軸５３と回転できるように連結された固定ボード５２が固定的に設置され、前記リードスクリュー軸５３において前記支持溝４８の中にはネジ山ブロック５８がネジ山によって連結され、前記支持溝４８の中の左右両端にはテーブル脚５１がスライドできるように連結され、前記テーブル脚５１のうち前記リードスクリュー軸５３に近接している端面には円溝５５が設置され、前記円溝５５の中にはボールジョイント５４がスライドできるように連結され、前記ボールジョイント５４のうち前記リードスクリュー軸５３に近接している端面にはボールジョイントブロック５６が固定的に設置され、前記ボールジョイントブロック５６と前記ネジ山ブロック５８との間には細い棒５７がヒンジで連結され、前記テーブル脚５１の前端面には切替溝６４が設置され、前記支持溝４８の上端壁には左右に対称的に駆動チャンバ６６が設置され、前記駆動チャンバ６６の中には従動棒６５がヒンジで連結され、前記従動棒６５の一端は対応の前記切替溝６４の前端壁と回転できるように連結される。
【００１５】
前記手提げ装置１０２が前後に対称的に設置され、前記手提げ装置１０２は台座４４を含み、前記台座４４が左右に対称的に二組設置され、組ごとに左右に対称的な二つが設置され、前記台座４４の組の間には短い軸５０が回転できるように連結され、前記短い軸５０には手で掴めるハンドル４３が固定的に連結され、手を前記ハンドル４３に通せば前記本体２１を提げられる。
【００１６】
パソコンを使用する時、まずはファスナー４５を引き、そして保存溝４９の中のパソコンを持ち出し、そしてノブを回し、それにより小歯車３２とノブ軸３３とを回転連動させ、ラック係止ブロック３１を下へ移動させ、延長棒３７を弾き出し、そして延長棒３７を掴んで左へ引っ張り、それにより格納ボード６８と折畳みボード４２とを左へ移動連動させ、そして折畳みボード４２を二回折り、格納ボード６８を本体２１の前端面に置けるようにし、ラック２７が左へ移動する時、大歯車２９と貫通軸２８とを回転連動させ、それによりウォーム６３と、ウォームギア６２と、横軸６１と、第一傘歯車６０と、第二傘歯車５９とリードスクリュー軸５３とを回転連動させ、それによりネジ山ブロック５８を上へ移動連動させて二つのテーブル脚５１を両側に移動させ、それによりヒンジで連結された従動棒６５によって、テーブル脚５１のうちリードスクリュー軸５３から離れている一端を下へ運動させ、それにより本体２１を支持し、そしてパソコンとマウスを其々格納ボード６８と延長ボード３７に置けば良い。
【００１７】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。